(57)【要約】【課題】降雪時におけるサイドミラーへの着雪を防止することのできる物品を提供する。【解決手段】磁石操作により、挿通した紐に対する固定と固定解除が可能なる紐固定具を設け、一方、紐によりその開口部の収斂と収斂解除可能なる袋体を設け、該袋体と紐固定具との組み合わせよりなることを特徴とする。【選択図】      図１５
2006290320.tif 000002
【特許請求の範囲】
【請求項１】
磁石操作により、挿通した紐に対する固定と固定解除が可能なる紐固定具を設け、一方、紐によりその開口部の収斂と収斂解除可能なる袋体を設け、該袋体と紐固定具との組み合わせよりなることを特徴とするサイドミラーカバー。
【発明の詳細な説明】
【技術分野】
【０００１】  この発明は、自動車（以下、車と略称する）のサイドミラーの鏡面を保護するためのカバーに関する。
【背景技術】
【０００２】  車には後方確認のためにサイドミラーが設けられているが、このサイドミラーを保護するためのカバーは現在のところ見当たらない。
【発明の開示】
【発明が解決しようとする課題】
【０００３】  上記したように、車の両脇にはサイドミラーが装備されている。このサイドミラーは主に運転者が車の後方視認をするためのもので、一般車の大半は前部ドア両側面に設けられ、タクシー等はボンネットカバーに近接して設けられている。その目的上、サイドミラーの鏡面はその反射率を妨げることのないように、汚れなどの付着に注意しなくてはならない。しかしながら降雪地域の冬季においては別の問題がある。
すなわち、駐車場所が屋外の場合、サイドミラー面に雪が付着するため、発進前にこの雪を除去する必要がある。着雪のまま放置したときにはこの雪がサイドミラー鏡面にしっかりと付着し、容易には除去できなくなる。そのため、ブラシの柄などの固い部分を鏡面にこすりつけたりするが、手間がかかる上に鏡面保護の面から好適な手段とは言い難い。
市販の凍結防止スプレーを用いて鏡面に噴射する方法もあるが、油膜が残って視覚上好ましくない。
本発明は、以上のようなサイドミラーの鏡面保護に関わる課題を解決するために発明されたもので、袋体にてサイドミラー全体を覆うことにより、鏡面への着雪を防ぐとともに、本発明品の盗難防止機能を有する新規かつ有用なる物品を提供することを目的として開発されたものである。
【課題を解決するための手段】
【０００４】  課題を解決する手段として本発明は、紐固定具と紐を有する袋体とを組み合わせてその主要部を構成した。
すなわち、磁石操作により、挿通した紐に対する固定と固定解除が可能なる紐固定具を設け、一方、紐によりその開口部の収斂と収斂解除可能なる袋体を設け、該袋体と紐固定具とを組み合わせる。本発明は以上の構成よりなるサイドミラーカバーである。
【発明の効果】
【０００５】  本発明によれば、サイドミラーにかぶせた袋体の開口部を収斂している紐に固定されている紐固定具の移動と非移動を、磁石操作にて選択することができるので、サイドミラーへの着雪を防止するとともに、該袋体の盗難をも防止することのできる有用なる物品を提供することができる。また、その操作も簡便であり、伸縮袋体とすることでサイドミラーサイズにも対応することができる。
【発明を実施するための最良の形態】
【０００６】  以下、本発明の実施形態について説明する。
図において、１は袋体で、左方に開口部を有し、開口部近傍の側面には複数個の鳩目が設けられている。この袋体の表面は防水性布材が用いられ、内面には滑りのよい薄布が用いられている。また、表布と裏布の間には適宜量の綿が内包される。そして、該袋体内部に適宜長のゴムベルトが複数個縫着される。２は中空の紐体で、袋体の外側と内側を交互に挿通するように鳩目内に位置し、紐の両端は結束される。またこの紐体内には、複数本の細鋼線をよりあわせてなる芯線が位置している。
３は紐固定具である。この紐固定具はその内に前記の紐体を挿通し、該固定具の操作にて紐体に対する固定具の固定と固定解除を選択することができる。
図において、１０は合成樹脂による有底筒状のケース、１１は該ケース側面上部に位置する貫通孔である。１２はケース内に位置する可動体である。この可動体は、平面視において平面状部分と曲面状部分を有し、この曲面状部分の外径は前記ケースの内径よりやや小さい。また、平面状部分の上部には前記貫通孔と同径の貫通孔１３が穿設されている。
可動体上部にはＵ形の切り欠き部１４が形成され、この切り欠き部の直上にはケースの外径と同径の円板よりなる上板１５が固着される。またこの上板中央には孔（図示略）が穿設される。【０００７】  １６は可動体下面中央に一体に形成される円柱形のスプリング支持部、１７は圧縮コイルスプリングである。１８は可動体側面に対称形に突出するストッパーであり、このストッパー端はケース外面よりわずかに内方に位置している。従って、図１０に示すように、上板の非押圧時はスプリングの押圧にて可動体は上向きの力を受けるが、ストッパー上面が貫通孔１１の内面上部に接するため、可動体の上位置が定まる。また、上板押圧にて可動体はスプリングの力に逆らって下方へ移動するが、今度は貫通孔１１の下部にストッパー下面が接するため、可動体は停止する。つまり、このストッパーは貫通孔１１にてその可動範囲が規制され、すなわち可動体の可動範囲が規制される。
２０はロック機構体である。このロック機構体は、その内に段部を有する中空の外筒２１の内部に円板形の磁石２２と２３を、同極を向かい合わせて対向配置し、磁石側面中央に棒体２４を外に向けて固着し、外筒上部中央に切除部２５を設けたものであり、このロック機構体は前記の切り欠き部１４に固着される。
３０は平板状の操作磁石で柄を有し、磁石先端は外筒に設けた切除部よりわずかに小さい厚さを有し、この切除部に出入り自由である。また、該操作磁石の先端の磁極は前記の磁石の対向する磁極とは異極である。従って、この操作磁石の挿入前は磁石２２と２３は同極対向のためその反発力にて図３のごとく双方が離れて位置し、棒体２４の先は外筒より突出する。操作磁石挿入時はその極性にて磁石２２と２３は操作磁石に引き寄せられ、棒体先端は外筒内に位置する。以上のことから、可動体の位置設定が可能である。【０００８】  すなわち、操作磁石の非使用時は棒体２４の端部は突出しているため、可動体はこの棒体がケース上面に接する位置までしか下降できないが、操作磁石を用いることで、この棒体端は内部に引っ込むため、可動体は前記ストッパーにて規制される範囲内において自由に下降ができる。従って、例えば前述の中空紐体を貫通孔１１と１３に挿通したとき、スプリング押圧にて可動体は上方へ移動するが、このとき紐体を押圧した状態となり、このままでは紐体と紐固定具は固定され、紐体に対してこの固定具を移動させることができない。このままで上板を押圧して可動体を押し下げようとしても、棒体可動範囲が規制されており、やはり固定具移動ができない。しかし、操作磁石を用いることにより、棒体２４が引っ込んで可動体をさらに押し下げることができ、貫通孔１１と１３との重なる面積が増えるため、紐体に対する押圧がゆるんで、紐体に対して紐固定具を移動させることができる。【０００９】  本発明を使用するには、まず図１３および図１４のように袋体の口を開けるとともに紐固定具を袋体開口部より少し離し、２本の紐を貫通孔に通しておく。次ぎに、この袋体を車のサイドミラーにかぶせた後、紐を引き絞って袋体開口部分をすぼめる。この状態を維持しながら操作磁石の先端を上板の孔より挿入してロック機構体の切除部に差し込む。
すると前記した磁極の作用にて棒体は引っ込むので上板を押し下げて紐への押圧を解除し、紐固定具を袋体の口近傍に移動させてから操作磁石を引き抜く。
スプリングの押圧にて可動体は上方へと移動してケース上面より上に出たときに棒体はケース外へと突出するので、操作磁石の所有者以外は紐への押圧固定の解除ができない。
つまりこの操作磁石はキーと同様の役割を有することとなり、他者によるこの袋体の盗難を防止することができる。また、紐内には鋼線が位置しているので、この紐の容易なる切断を防止することができる。この袋体は防水性のため、雨雪の内部への侵入を阻止し、綿を内包するので保温効果を有し、内部の凍結を防ぐことができる。
以上のことから、本発明利用にてサイドミラーへの着水・着雪を防止するとともにその凍結を防ぎ、かつ本品の盗難を防止する有用なる物品を得ることができる。
【図面の簡単な説明】
【００１０】
【図１】本発明のロック機構体の拡大平面図
【図２】本発明のロック機構体の拡大正面図
【図３】Ａ−Ａ断面図
【図４】本発明のロック機構体の機能説明図
【図５】本発明の紐固定具の平面図（上板およびロック機構体除去時）
【図６】本発明の紐固定具の平面図（上板除去時）
【図７】本発明の紐固定具の正面図
【図８】本発明の紐固定具の右側面図
【図９】本発明の紐固定具の内部構造説明図（正面視）
【図１０】本発明の紐固定具の内部構造説明図（右側面視）
【図１１】本発明の機能説明図（紐体押圧時）
【図１２】本発明の機能説明図（可動体最下位置）
【図１３】本発明の袋体の平面図
【図１４】本発明の袋体の正面図
【図１５】本発明の使用説明図
【符号の説明】
【００１１】１    袋体
２    紐体
３    紐固定具
４    サイドミラー
１０  ケース
１１  貫通孔
１２  可動体
１３  貫通孔
１４  切り欠き部
１５  上板
１６  スプリング支持部
１７  圧縮コイルスプリング
１８  ストッパー
２０  ロック機構体
２１  外筒
２２  磁石
２３  磁石
２４  棒体
２５  切除部
３０  操作磁石
３１  柄
【図１】
2006290320.tif 000003
【図２】
2006290320.tif 000004
【図３】
2006290320.tif 000005
【図４】
2006290320.tif 000006
【図５】
2006290320.tif 000007
【図６】
2006290320.tif 000008
【図７】
2006290320.tif 000009
【図８】
2006290320.tif 000010
【図９】
2006290320.tif 000011
【図１０】
2006290320.tif 000012
【図１１】
2006290320.tif 000013
【図１２】
2006290320.tif 000014
【図１３】
2006290320.tif 000015
【図１４】
2006290320.tif 000016
【図１５】
2006290320.tif 000017